【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
プリント媒体を横断して最大高さのプリント帯を生成するために、１以上の列になるよう配置された複数のノズルを備えたプリントヘッドを有するインクジェットプリンタによる時間平均プリント密度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
ある特定のプリントヘッド帯に対して、該特定の帯が許容できない高いレベルのプリントヘッド温度まで上げるようなプリントヘッド密度を有するものであるかどうかを予測するステップと、
前記特定のプリントヘッド帯の前記プリントヘッド密度が前記プリントヘッドの温度を許容できないレベルまで上げると予測される場合には、前記ノズルのサブセットのみを用いて、各プリントヘッド間に、減少した印刷密度を備える高さが減少した帯を形成するステップと
を含んでなる、時間平均プリント密度の制御方法。
【請求項２】
前記インクジェットプリンタはいくつかのオーバーラップした帯を用いて各ドット列をプリントするものであり、それぞれの帯は以前の帯と新しいドット列の集合とによってプリントされ、該新しいドット列は、ある後続する帯の分だけオーバーラップされたものである請求項１に記載の制御方法。
【請求項３】
プリント媒体を横断して最大高さのプリント帯を生成するために、１以上の列になるよう配置された複数のノズルを備えたプリントヘッドを有するインクジェットプリンタによる時間平均プリント密度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
ある特定の帯に対して、着信プリントデータを受信する際の遅延を検出するステップと、
均一な幅反復速度を維持するために、着信プリントデータを受信する際の遅延に応じて前記ノズルのサブセットのみを使用するステップと
を含んでなる、時間平均プリント密度の制御方法。
【請求項４】
プリント媒体を横断して最大高さのプリント帯を生成するために、１以上の列になるよう配置された複数のノズルを備えたプリントヘッドを有するインクジェットプリンタによる時間平均プリント密度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
前記ノズルのサブセットのみを用いて、各プリントヘッド間に、減少した印刷密度を備える高さが減少した帯を形成するステップと
各プリントヘッド帯の間に、前記プリントヘッドの実際の帯ドット密度およびピーク温度を監視するステップと、
前記監視するステップに応じて、前記最大許容帯ドット密度が結果として最大許容ピーク・プリントヘッド温度を超えないピーク・プリントヘッド温度のものとなるように、前記実際の帯ドット密度およびピーク温度についての関数として最大許容帯ドット密度を繰り返し計算するステップと、
個々のプリントヘッド帯の間に、前記最大許容帯ドット密度を越えないように帯ドット密度を制限するステップと
を含んでなる、時間平均プリント密度の制御方法。
【請求項５】
プリント媒体を横断して最大高さのプリント帯を生成するために、１以上の列になるよう配置された複数のノズルを備えたプリントヘッドを有するインクジェットプリンタによる時間平均プリント密度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
ある特定のプリントヘッド帯に対して、該特定の帯が前記ノズルへのインク供給量を許容できないほど少なくするようなプリントヘッド密度を有するものであるかどうかを予測するステップと、
前記特定のプリントヘッド帯の前記プリントヘッド密度が前記ノズルへのインク供給量を許容できないほど少なくするものであると予測される場合には、前記ノズルのサブセットのみを用いて、各プリントヘッド間に、減少した印刷密度を備える高さが減少した帯を形成するステップと
を含んでなる、時間平均プリント密度の制御方法。
【請求項６】
プリント媒体を横断して最大高さのプリント帯を生成するために、１以上の列になるよう配置された複数のノズルを備えたプリントヘッドを有するインクジェットプリンタによる時間平均プリント密度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
それぞれの帯に対する帯ドット密度を計算するステップと、
次の帯の前記帯ドット密度が最大許容帯ドット密度よりも大きい場合には、前記ノズルのサブセットのみを使用して、前記次の帯の間に、縮小プリント密度を持つ高さを縮小した帯を生成するステップと
を含んでなる、時間平均プリント密度の制御方法。
【請求項７】
インクパターンをプリント媒体に付着するインクジェットプリンタであって、
制御論理と、
該制御論理に応答して、前記プリント媒体を個別の帯で横断するように繰り返し通過するプリントヘッドであって、前記プリント媒体にインクパターンを付着するように、各プリント帯の間に、繰り返し噴射される個別のノズルを有するものであるプリントヘッドと
を含んでなり、
前記制御論理は、
各帯に対する帯ドット密度を計算することと、
次の帯の該帯ドット密度が最大許容帯ドット密度よりも大きい場合には、前記ノズルのサブセットのみを用いて、次の帯の間に、減少した印刷密度を備える高さが減少した帯を形成することと
を実行するように構成されているものであるインクジェットプリンタ。
【請求項８】
複数のノズルを有するインクジェットプリントヘッド内にあるプリントヘッド温度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
各プリントヘッド帯の間に、前記プリントヘッドの実際の帯ドット密度およびピーク温度を監視するステップと、
前記監視するステップに応じて、前記最大許容帯ドット密度が結果として最大許容ピーク・プリントヘッド温度を超えないピーク・プリントヘッド温度のものとなるように、前記実際の帯ドット密度およびピーク温度についての関数として最大許容帯ドット密度を繰り返し計算するステップと、
個々のプリントヘッド帯の間に、前記最大許容帯ドット密度を越えないように帯ドット密度を制限するステップと
を含んでなる、プリントヘッド温度の制御方法。
【請求項９】
複数のノズルを有するインクジェットプリントヘッド内にあるプリントヘッド温度の制御方法であって、
前記プリント媒体を個別の帯で横断するように前記プリントヘッドを繰り返し通過させるステップと、
前記プリント媒体にインクパターンを付着させるために、各プリントヘッド帯の間に、個々のノズルを繰り返し噴射するステップと、
各プリントヘッド帯の間に、前記プリントヘッドの実際の帯ドット密度およびピーク温度を監視するステップと、
前記監視するステップに応じて、前記最大許容帯ドット密度が結果として最大許容ピーク・プリントヘッド温度を超えないピーク・プリントヘッド温度のものとなるように、前記実際の帯ドット密度およびピーク温度についての関数として最大許容帯ドット密度を繰り返し計算するステップと、
前記個々のノズルのサブセットのみを用いて、ある特定のプリントヘッド帯の間に、前記最大許容帯ドット密度を越えないように帯ドット密度を制限するステップと
を含んでなる、プリントヘッド温度の制御方法。
【請求項１０】
インクパターンをプリント媒体に付着するインクジェットプリンタであって、
制御論理と、
該制御論理に応答して、前記プリント媒体を個別の帯で横断するように繰り返し通過するプリントヘッドであって、前記プリント媒体にインクパターンを付着するように、各プリント帯の間に、繰り返し噴射される個別のノズルを有するものであるプリントヘッドと、
前記プリントヘッドに関連する温度センサであって、あるプリントヘッドの測定温度を前記制御論理に与えるよう動作可能に接続されている温度センサと
を含んでなり、
前記制御論理は、
各プリントヘッド帯の間に、前記プリントヘッドの実際の帯ドット密度およびピーク温度を監視することと、
前記監視に応じて、前記最大許容帯ドット密度が結果として最大許容ピーク・プリントヘッド温度を超えないピーク・プリントヘッド温度のものとなるように、前記実際の帯ドット密度およびピーク温度についての関数として最大許容帯ドット密度を繰り返し計算することと、
前記個々のノズルのサブセットのみを用いて、個々のプリントヘッド帯の間に、前記最大許容帯ドット密度を越えないように帯ドット密度を制限することと
を実行するように構成されているものであるインクジェットプリンタ。